(57)【要約】【課題】細管に対する金属製網状体の固定におおいて、金属製網状体の網目を埋めることなく固定することができるようにし、気泡発生の効率が高く、動きのある装飾性に優れた水泡管を提供する。【解決手段】ガラス管を用いた透明な細管１２の内部に低沸点の発泡液１３を封入し、この細管１２の内部下端に集熱用の金属製網状体１４を収納し、上記細管１２の下部位置に、細管１２の周壁で金属製網状体１４の途中又は上端に対応する部分の位置を内側に変形させた金属製網状体１４の移動阻止部１５が設けられている。【選択図】  図１
2004188051.tif 000002
【特許請求の範囲】
【請求項１】
透明な細管の内部に低沸点の発泡液を封入し、この細管の内部下端に集熱用の金属製網状体を設けた水泡管において、上記細管の下部位置に金属製網状体の移動阻止部を設けたことを特徴とする水泡管。
【請求項２】
上記移動阻止部が、細管の周壁で金属製網状体の途中又は上端に対応する部分の位置を内側に変形させることによって形成されていることを特徴とする請求項１に記載の水泡管。
【発明の詳細な説明】
【０００１】
【発明の属する技術分野】
この発明は、透明な細管の内部に封入した低沸点の発泡液に気泡を生じさせ、見た目に動きと変化のある装飾効果が得られる水泡管に関する。
【０００２】
【従来の技術】
上記水泡管は、透明な細管の下方に配置した熱源で内部の発泡液を加熱することで、発泡液中に気泡を生じさせ、この発泡液中を上昇する気泡の動きにより、変化に富んだ動きのある装飾性を発揮することで、人の目を引くと同時に、見る人の気持ちを和らげる効果があり、このような水泡管は、例えば、仏事用の装飾具やインテリア用の装飾具等に組み込み使用されている。
【０００３】
図２は、水泡管１の構造を示し、ガラスのような上下に長い透明な細管２の内部に低沸点の発泡液３を封入し、この細管２の内部下端に集熱用の金属製網状体４を設け、細管２の下方に配置した電球のような熱源５でロール巻きした金属製網状体４を加熱すると、金属製網状体４の網目の部分から微細な気泡が発生し、この気泡が発泡液３中を上昇するようになっている。
【０００４】
上記のような水泡管１において、細管２の内部に設けた金属製網状体４が細管２に対して固定化されていないと、発泡液３中で金属製網状体４が移動自在となり、装飾具の移動や輸送時に金属製網状体４が細管２の下部から上方に移動してしまい、装飾具の使用時に気泡の発生が得られないような事態が生じることになる。
【０００５】
このため、従来は、金属製網状体４を接着剤で細管２の内部に固定し、位置の変動が生じないようにしている。
【０００６】
【発明が解決しようとする課題】
ところで、金属製網状体４を接着剤で細管２の内部に固定すると、接着剤で金属製網状体４の網目が埋まることになり、網目が埋まると金属製網状体４の網目の効果によって得られる微細な気泡発生の効率が著しく低下し、変化に富んだ動きのある装飾性が得られないという問題がある。
【０００７】
そこで、この発明は、細管に対する金属製網状体の固定において、金属製網状体の網目を埋めることなく固定することができるようにし、気泡発生の効率が高く、動きのある装飾性に優れた水泡管を提供することにある。
【０００８】
【課題を解決するための手段】
上記のような課題を解決するため、この発明は、透明な細管の内部に低沸点の発泡液を封入し、この細管の内部下端に集熱用の金属製網状体を設けた水泡管において、上記細管の下部位置に金属製網状体の移動阻止部を設けた構成を採用したものである。
【０００９】
上記移動阻止部が、細管の周壁で金属製網状体の途中又は上端に対応する部分の位置を内側に変形させることによって形成されている構造を採用することができる。
【００１０】
ここで、細管は透明なガラスを用い、金属製網状体はロール巻き状態で細管の内部に挿入され、細管の内部に封入した発泡液の上方空間は真空部になっている。
【００１１】
また、金属製網状体を固定するための細管に設ける移動阻止部は、ガラス管を加熱状態で押圧変形させて内径側に突出部分を設けることによって形成されている。
【００１２】
【発明の実施の形態】
以下、この発明の実施の形態を図示例と共に説明する。
【００１３】
図１に示すように、この発明の水泡管１１は、透明な細管１２の内部に低沸点の発泡液１３を封入し、この細管１２の内部下端にロール巻きした集熱用の金属製網状体１４を設け、上記細管１２の下部位置に金属製網状体１４の移動阻止部１５を設けた構造になっている。
【００１４】
上記細管１２は、例えば、５〜８ｍｍ程度の直径を有する上下に長いガラス管で形成され、封入した低沸点の発泡液１３の上部空間は、真空部１６になっている。
【００１５】
この低沸点の発泡液１３としては、沸点が４０°Ｃのメチレンクロライド、沸点５０°Ｃ以下のトリクロロトリフルオロエタン、トリクロロトリフルオロエタン／エチルアルコール等を使用することができる。
【００１６】
また、金属製網状体１４の移動阻止部１５は、細管１２の周壁で金属製網状体１４の途中又は上端に対応する部分の位置に、ガラス管を加熱状態で押圧変形させて内径側に突出部分を設けることによって形成されている。
【００１７】
図１（Ｂ）の場合、移動阻止部１５は、金属製網状体１４の上端よりも少し上部の位置を、細管１２の周壁の一部を内側へ突出する弧状に変形させ、細管１２の内径を狭めることで、金属製網状体１４の上方への移動を阻止するようにした例を示したが、同様の突出部分を金属製網状体１４の途中と対応する位置に設け、金属製網状体１４の途中を押し込むことで金属製網状体１４の上方への移動を阻止するようにしてもよく、何れの場合も、移動阻止部１５は、細管１２の周壁に対して環状に形成しても部分的な突出によって形成してもよい。
【００１８】
また、移動阻止部１５の他の例としては、細管１２の内部で金属製網状体１４の上端よりも少し上部の位置に、細管１２の内径を狭める別体のストッパー部材を、接着等の手段で固定した構造を採用することができる。
【００１９】
この発明の水泡管１１は、上記のような構成であり、例えば、仏事用の装飾具やインテリア用の装飾具等に直立状態の配置で組み込み使用され、水泡管１１の下端直下の位置に、装飾具の光源を兼ねる電球のような熱源１７が配置される。
【００２０】
熱源１７の点灯による温度で金属製網状体１４が加熱され、金属製網状体１４の温度が上昇すると、低沸点の発泡液１３も温度が上昇し、この金属製網状体１４の微細な網目の部分から多くの気泡が発生し、気泡は発泡液１３中を上昇することになり、熱源１７からの光が上昇する気泡を下から照射するので、多様に変化する気泡の動きと光の反射とにより変化に富んだ動きのある装飾性を発揮することになる。
【００２１】
上記水泡管１１は、細管１２の下部位置に金属製網状体１４の移動阻止部１５を設けてあるので、金属製網状体１４の移動発生がなく、細管１２の下部に位置させることができるので、熱源１７と金属製網状体１４による発泡液１３の加熱が確実に行え、しかも、金属製網状体１４の網目を埋めることがないので、総ての網目の部分から気泡を発生させることができ、これにより、気泡発生率が向上することで装飾性に優れたものとなる。
【００２２】
【発明の効果】
以上のように、この発明によると、水泡管において、細管の下部位置に金属製網状体の移動阻止部を設けたので、金属製網状体の移動発生がなく、細管の下部に位置させることで、熱源による発泡液の加熱が確実に行え、不良品の発生を無くすことができる。
【００２３】
また、金属製網状体の網目を埋めることがないので、総ての網目の部分から気泡を発生させることができ、これにより、気泡発生の効率が向上し、動きのある装飾性に優れたものとなる。
【図面の簡単な説明】
【図１】（Ａ）はこの発明に係る水泡管の正面図、（Ｂ）は同上の要部を拡大した縦断正面図
【図２】従来の水泡管の正面図
【符号の説明】
１１  水泡管
１２  細管
１３  低沸点の発泡液
１４  金属製網状体
１５  移動阻止部
１６  真空部
１７  熱源
【図１】
2004188051.tif 000003
【図２】
2004188051.tif 000004